(57)【要約】【課題】  温度検知部が長期にわたり機能する電線・ケーブルを提供する。【解決手段】  温度検知部１３は、示温部１５と溶融樹脂部１６とを備えて構成されている。また、温度検知部１３は、電線・ケーブル軸方向にのびる線条となるように形成されている。示温部１５は、シース１４、絶縁体２３の表面を凹ませてＵ字状又はＶ字状等の溝形状にすることにより形成されている。溶融樹脂部１６は、異常発熱であると判断するための設定温度に達した際に溶融する部材であって、示温部１５の色とは異なる色で形成されている。溶融樹脂部１６は、示温部１５を覆うように配置形成されている。また、溶融樹脂部１６は、シース１４、絶縁体２３の表面に対して面一となるように配置形成されている。【選択図】    図１
2005129250.tif 000002
【特許請求の範囲】
【請求項１】
最外層に温度検知部を有する電線・ケーブルであって、
前記温度検知部を、異常発熱であると判断するための設定温度に達した際に溶融する溶融樹脂部と、該溶融樹脂部により覆い隠され且つ該溶融樹脂部とは異なる色の示温部とを備えて構成した
ことを特徴とする電線・ケーブル。
【請求項２】
請求項１に記載の電線・ケーブルにおいて、
前記温度検知部を、電線・ケーブル軸方向にのびる線条となるように形成した
ことを特徴とする電線・ケーブル。
【請求項３】
請求項１又は請求項２に記載の電線・ケーブルにおいて、
前記温度検知部を、前記最外層の表面に対して面一となるように形成した
ことを特徴とする電線・ケーブル。
【請求項４】
請求項１ないし請求項３いずれか記載の電線・ケーブルにおいて、
前記示温部を、前記最外層の色とは異なる色にした
ことを特徴とする電線・ケーブル。
【発明の詳細な説明】
【技術分野】
【０００１】
本発明は、異常発熱の有無を把握することが可能な温度検知部を有する電線・ケーブルに関する。
【背景技術】
【０００２】
この種の電線・ケーブルとしては下記特許文献１に開示されたものが知られている。図３において、下記特許文献１に開示された電線・ケーブル１は、所定温度に達したときに最外層シース２に刻印されたマーク３の彩色が変化して、所定温度に達したことを目視できるように構成されている。マーク３は、可逆的に変化する示温性材料により構成されるマーキングインクを用いて「６００Ｖ−ＣＶ」とマーキングされている。
【特許文献１】実用新案登録第２６０２４４２号公報  （第２頁、第１図）
【発明の開示】
【発明が解決しようとする課題】
【０００３】
ところで、電線・ケーブルは通常１０〜２０年近く使用されており、このことを踏まえると、上記従来技術のようなインクによる温度検知部は、長期間使用すると経年変化によって異常発熱の判断、把握がし難くなる場合があると考えられている。
【０００４】
本発明は、上述した事情に鑑みてなされるもので、温度検知部が長期にわたり機能する電線・ケーブルを提供することを課題とする。
【課題を解決するための手段】
【０００５】
上記課題を解決するためなされた請求項１記載の本発明の電線・ケーブルは、最外層に温度検知部を有する電線・ケーブルであって、前記温度検知部を、異常発熱であると判断するための設定温度に達した際に溶融する溶融樹脂部と、該溶融樹脂部により覆い隠され且つ該溶融樹脂部とは異なる色の示温部とを備えて構成したことを特徴としている。このような特徴を有する本発明によれば、電線・ケーブルの長期間の使用であっても温度検知部の経年変化が起こり難くなる。すなわち、示温部は溶融樹脂部により覆われて保護され、溶融樹脂部は、設定温度に達しない限り溶融せず示温部の保護状態を維持するからである。
【０００６】
請求項２記載の本発明の電線・ケーブルは、請求項１に記載の電線・ケーブルにおいて、前記温度検知部を、電線・ケーブル軸方向にのびる線条となるように形成したことを特徴としている。このような特徴を有する本発明によれば、異常発熱の有無が電線・ケーブル軸方向で把握可能になる。
【０００７】
請求項３記載の本発明の電線・ケーブルは、請求項１又は請求項２に記載の電線・ケーブルにおいて、前記温度検知部を、前記最外層の表面に対して面一となるように形成したことを特徴としている。このような特徴を有する本発明によれば、溶融樹脂部と示温部とを備えた温度検知部を有していても、通常の電線・ケーブル径と何ら変わらない電線・ケーブルになる。
【０００８】
請求項４記載の本発明の電線・ケーブルは、請求項１ないし請求項３いずれか記載の電線・ケーブルにおいて、前記示温部を、前記最外層の色とは異なる色にしたことを特徴としている。このような特徴を有する本発明によれば、示温部が露出している場合に、最外層と同色よりも認識し易いものになる。
【発明の効果】
【０００９】
請求項１に記載された本発明によれば、温度検知部を長期にわたり機能させることができるという効果を奏する。
【００１０】
請求項２に記載された本発明によれば、異常発熱があったことを電線・ケーブル軸方向で判断、把握することができる。従って、部分的な異常発熱を確実に発見することができるという効果を奏する。また、電線・ケーブルの保守をし易くすることができるという効果を奏する。
【００１１】
請求項３に記載された本発明によれば、通常の電線・ケーブル径と何ら変わりなく形成することができる。従って、通常の電線・ケーブルと同様の施工性を維持することができるという効果を奏する。
【００１２】
請求項４に記載された本発明によれば、異常発熱をより一層確実に発見することができるという効果を奏する。
【発明を実施するための最良の形態】
【００１３】
以下、図面を参照しながら説明する。
図１は本発明の電線・ケーブルの一実施の形態を示す図であり、（ａ）は端面図、（ｂ）は外観斜視図である。また、図２は図１の電線・ケーブルの製造に係る説明図である。
【００１４】
図１において、引用符号１１は本発明のケーブルを示している。そのケーブル１１は、既知の線心１２と、本発明の要旨となる温度検知部１３を有するシース１４とを備えて構成されている。線心１２は、導体とその導体を被覆する絶縁体とを備えて構成されている。シース１４は、線心１２の外周を一括して被覆する合成樹脂製の部材であって、その最外層となるシース１４に温度検知部１３が設けられている。
【００１５】
一方、引用符号２１は本発明の電線を示している。その電線２１は、導体２２と、導体２２を被覆する絶縁体２３とを備えて構成されている。最外層となる絶縁体２３には、本発明の要旨となる温度検知部１３が設けられている。
【００１６】
温度検知部１３は、示温部１５と溶融樹脂部１６とを備えて構成されている。また、温度検知部１３は、図示のような、電線・ケーブル軸方向にのびる線条となるように形成されている。
【００１７】
示温部１５は、シース１４、絶縁体２３の表面を凹ませてＵ字状又はＶ字状等の溝形状にすることにより形成されている。このような示温部１５の溝深さ及び幅は、シース１４、絶縁体２３の機能を損なわない範囲で適宜設定されている。
【００１８】
溶融樹脂部１６は、異常発熱であると判断するための設定温度、例えば６０〜７０℃に達した際に溶融する部材であって、本形態においては、既知のホットメルトが用いられている。溶融樹脂部１６は、示温部１５の色とは異なる色で形成されている（例えば示温部１５が赤であれば溶融樹脂部１６は白）。また、溶融樹脂部１６は、示温部１５を覆うように配置形成されている。さらに、溶融樹脂部１６は、シース１４、絶縁体２３の表面に対して面一となるように配置形成されている。このような溶融樹脂部１６は、示温部１５に対して脱落することはなく、強固に密着するようになっている。
【００１９】
上記構成において、本発明のケーブル１１、電線２１は例えば次のような工程を経ることにより製造されている。
【００２０】
図１及び図２において、ケーブル１１、電線２１は、示温部１５を形成するための突出部分を有する図示しない口金を備えた押出成形機１７から押し出され、冷却水槽１８を通過した後、ホットメルト押出機１９からホットメルトを適量、示温部１５に押し出して、その示温部１５を溶融樹脂部１６で覆ってなる温度検知部１３にすることにより製造されている。
【００２１】
以上、図１及び図２を参照しながら説明してきたように、本発明のケーブル１１、電線２１は、示温部１５が溶融樹脂部１６により覆われて保護されている。また、設定温度に達しない限り溶融樹脂部１６が溶融しないことから、示温部１５の保護状態が維持されるようになっている。従って、本発明のケーブル１１、電線２１は、長期間の使用であっても温度検知部１３の経年変化を起こり難くすることができるという利点を有している。
【００２２】
一方、本発明のケーブル１１、電線２１は、溶融樹脂部１６が溶融すると示温部１５が露出するようになっている。従って、異常発熱の発生を一目で把握することができるという利点を有している。
【００２３】
その他、本発明は本発明の主旨を変えない範囲で種々変更実施可能なことは勿論である。
【００２４】
すなわち、示温部１５は、溶融樹脂部１６により覆われればよく、上述の溝形状に限らないものとする。例えば単なるストライプやその他の示温部であってもよいものとする。また、示温部１５を、シース１４、絶縁体２３の色とは異なる色にしてもよいものとする。
【図面の簡単な説明】
【００２５】
【図１】本発明による電線・ケーブルの一実施の形態を示す図であり、（ａ）は端面図、（ｂ）は外観斜視図である。
【図２】図１の電線・ケーブルの製造に係る説明図である。
【図３】従来例の電線・ケーブルの構成図である。
【符号の説明】
【００２６】
１１  ケーブル
１２  線心
１３  温度検知部
１４  シース（最外層）
１５  示温部
１６  溶融樹脂部
１７  押出成形機
１８  冷却水槽
１９  ホットメルト押出機
２１  電線
２２  導体
２３  絶縁体（最外層）
【図１】
2005129250.tif 000003
【図２】
2005129250.tif 000004
【図３】
2005129250.tif 000005